(57)【特許請求の範囲】
【請求項１】
塗工装置の後続のウェブの搬送経路において、ウェブ走行部分の上下に互い違いに該ウェブに対してエアーを吹き付けるように配したフローティング用ノズルのうち、下側のノズルのエアー吹き出し側に、非フローティング状態のウェブを受ける補助ロールを、エアー吹き出し口と異なる場所に配設しておき、
未塗工状態では吹き付けエアーが通り抜けるエアー通過性を有し、かつ塗工により前記エアー通過性が抑止される多孔シート状物よりなるウェブを搬送する際、該ウェブが未塗工状態のときは前記補助ロールにより支持して搬送し、該ウェブが塗工後の未乾燥状態のときは前記エアー吹き出し部からのエアー吹き付けによりフローティング状態にして搬送することを特徴とするウェブの搬送方法。
【発明の詳細な説明】
【技術分野】
【０００１】
本発明は、シート状のウェブに対して各種の塗工を行う塗工装置の後続の搬送経路に設定される乾燥装置に使用されるウェブの搬送装置に関し、特に、未塗工状態ではフローティング用のエアーの風圧を充分に受けることができないメッシュ材等の多孔シート状物よりなるウェブの塗工後の乾燥処理のための搬送装置及び搬送方法に関するものである。
【背景技術】
【０００２】
例えば、シート状のウェブを連続走行させながら表面に各種の塗工を行う塗工装置においては、その後続の搬送経路において、塗工後のウェブを連続して加熱乾燥機を通過させて塗工膜を乾燥することとしている。このとき、塗工後のウェブの未乾燥状態の塗工面がロール等に接触すると、塗工膜がロールに付着する等して塗工面が損傷することになることから、この種のウェブの加熱乾燥機としては、該ウェブをロール等の他部材に接触させずに走行させて乾燥するようにしている。
塗工装置の後続の搬送経路に備える加熱乾燥機として、塗工後のウェブを加熱乾燥室内で上下からフローティング用のエアーを吹き付けてフローティング状態に支持しながら加熱乾燥を行う、所謂エアーフローティングドライヤーが知られている（例えば、特許文献１）。
【０００３】
かかるエアーフローティングドライヤーにおいては、乾燥対象のウェブが、合成樹脂フィルムやシート等の非通気性の材料からなるものの場合、フローティング用のエアーによる風圧を受けてフローティング状態に支持することができるが、該ウェブＷが、未塗工状態ではフローティング用のエアーの風圧（動圧）を充分に受けることができない前記の多孔シートやメッシュ材あるいは不織布等の多孔シート状物よりなる場合は、塗工後は塗工膜によりエアー通過が抑えられて、該ウェブをフローティング状態に支持することができるとしても、図５に略示するように、該ウェブＷの未塗工状態の部分は上下のノズル６７ａ，６７ｂから吹き付けられるフローティング用のエアーの大部分が通り抜けるためにフローティング状態に支持することができず、下側のノズル６７ｂに接触し、該ウェブを擦れ等による損傷が生じる虞がある。
【特許文献１】特開平８−３８９７８号公報
【発明の開示】
【発明が解決しようとする課題】
【０００４】
本発明は、上記の問題を解決するために種々の研究を重ねた結果、未塗工状態ではフローティング用のエアーが通り抜けて該エアーの風圧を充分に受けることができない前記多孔シートやメッシュ材あるいは不織布等の多孔シート状物よりウェブにおいても、塗工されることによりエアー通過が抑止されることで、フローティング用のエアーの風圧を充分に受けることができることに着目してなしたものである。
本発明の目的は、ウェブ走行部分の上下に互い違いに、走行するウェブに対してエアーを吹き付けるフローティング用ノズルが配されてなる搬送装置、例えばエアーフローティングドライヤーにおける搬送装置において、下側のノズルをエアーフローティング機能とロールサポート機能を有する構造にして、前記多孔シート状物よりなるウェブを、未塗工状態ときはロールサポートによる接触状態で支持して良好に搬送でき、かつ塗工後の未乾燥部分のときはフローティング状態に支持して搬送できるようにしたウェブの搬送装置及び搬送方法を提供するものである。
【課題を解決するための手段】
【００１０】
本発明のウェブの搬送方法は、塗工装置の後続のウェブの搬送経路において、ウェブ走行部分の上下に互い違いに該ウェブに対してエアーを吹き付けるように配したフローティング用ノズルのうち、下側のノズルのエアー吹き出し側に、非フローティング状態のウェブを受ける補助ロールを、エアー吹き出し口と異なる場所に配設しておき、未塗工状態では吹き付けエアーが通り抜けるエアー通過性を有し、かつ塗工により前記エアー通過性が抑止される多孔シート状物よりなるウェブを搬送する際、該ウェブが未塗工状態のときは前記補助ロールにより支持して搬送し、該ウェブが塗工後の未乾燥状態のときは前記エアー吹き出し部からのエアー吹き付けによりフローティング状態にして搬送することを特徴とする。
【発明の効果】
【００１１】
上記の発明のウェブの搬送方法によれば、ウェブ走行部分の上下に互い違いに、該ウェブに対してエアーを吹き付けるフローティング用ノズルが配された搬送装置、特にはエアーフローティングドライヤーで利用する搬送装置において、下側のノズルのエアー吹き出し側にエアー吹き出し口を避けて補助ロールを配したことにより、搬送対象のウェブが、未塗工状態ではフローティング用のエアーが通り抜けて該エアーの風圧を充分に受けることができない多孔シート状物よりなるものの場合に、未塗工部分のときはフローティングされなくても下側のノズルに有する補助ロールにより受支できて、ロールサポート状態で擦れ等を生じずに搬送できる。また、塗工後の未乾燥の塗工部分のときは、塗工膜によりエアー通過が抑止されることで、ノズルからの吹き付けられるフローティング用のエアーによりフローティング状態に支持されて無接触状態で搬送できる。
【００１２】
そのため、前記多孔シート状物よりなるウェブであって、塗工部分と未塗工部分とが混在しているウェブを、損傷の虞なく搬送できる。
【発明を実施するための最良の形態】
【００１３】
次に本発明を実施するための最良の形態を図面に示す実施例に基づいて説明する。
図１は本願発明に用いるウェブの搬送装置を塗工装置のエアーフローティングドライヤーに適用した場合の実施例を示す略示断面図、図２は同上の一部の多孔シート状物よりなるウェブの未塗工部分の搬送状態を示す略示拡大図、図３は同上の塗工部分の搬送状態を示す略示拡大図、図４は補助ロールを備える下側のノズル部分の拡大断面斜視図である。
【００１４】
本願発明に用いるウェブの搬送装置は、通常の合成樹脂フィルムやシート等のエアー透過性の低い材料よりなるウェブの塗工装置の後続の搬送経路にも使用できるが、ここでは、搬送対象のウェブＷとして、フローティング用のエアーが通り抜けてフローティングのための風圧（動圧）を充分に受けることができないエアー通過性を有し、かつ塗工されることにより塗工膜Ｗａでエアー通過が抑止されることになる多孔シート状物、例えばパンチング加工による透孔を多数有する多孔シート、全面に網目を有するメッシュ材、エアー透過性を有する不織布等の多孔シート状物の搬送の場合を例にして説明する。
【００１５】
図において、符号１１は塗工装置１２の後続の搬送経路に設定されるエアーフローティングドライヤーを示しており、所定の塗工を行う塗工装置１２から送出されるウェブＷを横方向に通過させるように設けられている。そして、加熱乾燥室１４内には、図のように、ウェブ走行部分の上下にウェブ走行方向に間隔をおいて互い違いに、該ウェブＷに対してエアーを吹き付けるフローティング用ノズル１７ａ，１７ｂが配され、通過する前記ウェブＷをフローティング状態に支持して搬送通過させるとともに、その間にウェブＷの塗工面を乾燥できるように設けられている。なお、前記加熱乾燥室１４内における加熱装置やウェブを通過させる送りローラ等の構成は図示を省略している。
【００１６】
本発明の場合、前記上下のフローティング用ノズル１７ａ，１７ｂのうち、下側のノズル１７ｂのエアー吹き出し側には、非フローティング状態のウェブＷを受ける補助ロール１８が、ノズル口としての開孔１７ｂ１からのエア吹き出し機能を阻害しないように配設されており、これにより、前記多孔シート状物よりなるウェブＷが未塗工状態のときは前記補助ロール１８により支持して搬送でき、かつ前記ウェブＷが塗工後の未乾燥状態のときは前記ノズル１７ｂからのエアー吹き付けによりフローティング状態に支持して搬送できるようになっている。
【００１７】
一例として、前記補助ロール１８は、図４に拡大して示すように、前記下側のノズル１７ｂのノズルボックス１９のエアー吹き出し側面の幅方向中央部で適宜軸受（図示せず）により回転自在に支持されるとともに、該補助ロール１８周面の一部が前記ノズルボックス１９のエアー吹き出し側面１９ａより突出状態をなすように支持されており、非フローティング状態のウェブＷを受支できるように設けられている。そして、前記エアー吹き出し側面１９ａにおける前記補助ロール１８を挟んでウェブ走行方向の両側に、ノズル口としての開孔１７ｂ１が配設されている。特に、前記補助ロール１８の存在に拘わらずフローティング用のエアー吹き出し機能を阻害しないように、前記の開孔１７ｂ１の配置やエアー吹き出し方向が設定されている。
【００１８】
前記補助ロール１８の前記ノズル１７ｂの吹き出し側面１９ａからの突出寸法は、ウェブＷが前記吹き出し側面１９ａに当接させずに受支できるように設定される。
【００１９】
上記の構成によるウェブＷの搬送装置は、図のように、主として塗工後の乾燥処理のためのエアーフローティングドライヤー１１における搬送に使用する。
【００２０】
この使用において、搬送対象のウェブＷが、フローティングのための風圧を充分に受けることができないエアー通過性を有する前記多孔シート状物よりなるものである場合、該ウェブＷが未塗工状態のときは、前記のように上下のノズル１７ａ，１７ｂから吹き付けられるエアーの通過することで風圧を充分に受けることができないために、ウェブＷの自重で浮上させることができず、下側のノズル１７ｂに当接することになるが、前記下側のノズル１７ｂのエアー吹き出し側に補助ロール１８が設けられているので、前記ウェブＷは該補助ロール１８により受支されて擦れや皺等を生じさせることなくスムーズに搬送できる。
【００２１】
そして、前記ウェブＷが塗工後の塗工面が未乾燥状態のときは、塗工膜Ｗａにより前記多孔シート状物の透孔や網目が塞がれてエアー通過が抑止されることで、上下の各ノズル１７ａ，１７ｂから吹き付けられるフローティング用のエアーによりフローティング状態に支持できて塗工面を無接触状態に保持して搬送できる。そのため、前記多孔シート状物よりなりウェブであって、塗工部分と未塗工部分とが混在しているウェブを、損傷の虞なく搬送できる。以て、未塗工状態ではフローティング用のエアーが通り抜けて該エアーの風圧を充分に受けることができない多孔シート状物よりなるウェブのエアーフローティングドライヤーでの乾燥処理を問題なく容易に実施できることになる。
【産業上の利用可能性】
【００２２】
本発明のウェブの搬送方法は、主としてシート状のウェブに対して各種の塗工を行う塗工装置等における乾燥装置、特には未塗工状態ではフローティング用のエアーの風圧を充分に受けることができない多孔シートやメッシュ材あるいは不織布等の多孔シート状物よりなるウェブの塗工後の乾燥装置における搬送に好適に使用することができる。
【図面の簡単な説明】
【００２３】
【図１】本願発明のウェブの搬送装置を塗工装置のエアーフローティングドライヤーに適用した場合の実施例を示す略示断面図である。
【図２】同上の一部の多孔シート状物よりなるウェブの未塗工部分の搬送状態を示す略示拡大図である。
【図３】同上の塗工部分の搬送状態を示す略示拡大図である。
【図４】補助ロールを備える下側のノズル部分の拡大断面斜視図である。
【図５】従来のエアーフローティングドライヤーにおける搬送装置での多孔シート状物よりなるウェブの搬送状態の略示説明図である。
【符号の説明】
【００２４】
Ｗ…ウェブ、Ｗａ…塗工膜、１１…エアーフローティングドライヤー、１２…塗工装置、１４…加熱乾燥室、１７ａ，１７ｂ…フローティング用ノズル、１７ｂ１…ノズル口としての開孔、１８…補助ロール、１９…ノズルボックス、１９ａ…エアー吹き出し側面。
【図１】
0005512121.tif 000002
【図２】
0005512121.tif 000003
【図３】
0005512121.tif 000004
【図４】
0005512121.tif 000005
【図５】
0005512121.tif 000006